(57)【特許請求の範囲】
【請求項１】
カメラ本体と、前記カメラ本体に対し光軸方向に移動可能な鏡筒とを有するカメラであって、
前記鏡筒の前記カメラ本体内への収納位置を検出する第１の検出手段と、前記鏡筒の繰り出し量を検出する第２の検出手段と、前記鏡筒を光軸方向に移動可能に支持する支持部材とを有し、
前記支持部材は、前記カメラ本体に対して前記光軸方向に位置を調整可能に設けられ、
前記第２の検出手段は、前記鏡筒の外周面と前記支持部材との間に設置され、前記カメラ本体に対する前記支持部材の前記光軸方向の位置の調整に伴って前記第２の検出手段の位置が調整され、
前記第１の検出手段は、前記鏡筒と前記カメラ本体またはこれに固定された部材との間に設置されていることを特徴とするカメラ。
【請求項２】
前記第１の検出手段は、接触・離間可能な端子を有するスイッチ機構で構成されている請求項１に記載のカメラ。
【請求項３】
前記第２の検出手段は、コード板と、前記コード板に接触しつつ前記コード板に対し相対的に移動する接片とで構成されている請求項１または２に記載のカメラ。
【請求項４】
前記鏡筒を光軸方向に移動可能に支持する支持部材を有し、該支持部材と前記鏡筒のいずれか一方に前記コード板、他方に前記接片が設置されている請求項３に記載のカメラ。
【請求項５】
前記第１の検出手段からの検出信号と、前記第２の検出手段からの検出信号のそれぞれの伝達経路が、同一の可撓性回路基板上に形成されている請求項１ないし４のいずれかに記載のカメラ。
【請求項６】
前記鏡筒は、ズーム機能を有する請求項１ないし５のいずれかに記載のカメラ。
【請求項７】
前記第１の検出手段は、金属板と、前記金属板に接触・離間可能な接片とで構成され、前記カメラ本体またはこれに固定された部材と前記鏡筒とのいずれか一方に前記金属板、他方に前記接片が設置されている請求項１ないし６のいずれかに記載のカメラ。
【発明の詳細な説明】
【０００１】
【発明が属する技術分野】
本発明は、カメラに関するものである。
【０００２】
【従来の技術】
従来のカメラの構造を図３および図４に示す。これらの図に示すように、カメラ２００は、カメラ本体２を有し、該カメラ本体２内に箱状のシャーシ３が設置され、このシャーシ３の内側に鏡筒ハウジング４が設置され、この鏡筒ハウジング４に対し、第２の鏡筒７、第１の鏡筒６およびレンズハウジング５が光軸方向に移動可能に設置された構造である。
【０００３】
レンズハウジング５および第１の鏡筒６には、それぞれ、複数の撮影レンズが固定されている。
【０００４】
また、鏡筒ハウジング４は、シャーシ３に対し、調整ワッシャ４６を介して螺子４５により固定されている。
【０００５】
このカメラ２００は、ズーム機構を備えている。すなわち、第２の鏡筒７は、図示しないモータの駆動によりカメラ本体２の前面から繰り出されるよう構成され、これに伴い、第１の鏡筒６およびレンズハウジング５もそれぞれ第２の鏡筒７に対しカメラ前方へ移動する。また、これらの移動に伴い、第１の鏡筒６とその内部に設置されたレンズハウジング５との光軸方向の距離が変化し、焦点距離が例えば３５mm（広角側）から１０５mm（望遠側）の範囲で変化する。なお、図３は、第２の鏡筒７が広角側に位置した状態を示している。
【０００６】
また、カメラ２００のメインスイッチ（図示せず）をオフしたときには、図４に示すように、第２の鏡筒７は、シャーシ３の最も奥部（フィルム１００側）、すなわち始端まで移動され、収納される。このとき、第２の鏡筒７の先端（前方側端部）位置は、カメラ本体２の前面とほぼ一致しているのが好ましい。
【０００７】
このカメラ２００では、第２の鏡筒７の位置を検出する検出手段２１０が設置されている。この検出手段２１０は、鏡筒ハウジング４に設置されたコード板２２０と、第２の鏡筒７の後端側外周に固定された接片（ブラシ）２３０とで構成され、第２の鏡筒７の光軸方向の移動に伴い、接片２３０がコード板２２０上を摺動し、その接点２４０が接触位置に応じた信号を得ることにより第２の鏡筒７の位置を検出するものである。
【０００８】
この検出手段２１０により検出される第２の鏡筒７の位置は、望遠側、広角側およびそれらの間の任意の位置の他に、前記第２の鏡筒７がカメラ本体２内に収納された収納位置がある。
【０００９】
ところで、このようなカメラ２００では、第１の鏡筒６および第２の鏡筒７に固定されたレンズ群の焦点Ｐがフィルム１００のフィルム面（乳剤面）１０１上に一致する必要があり、そのため、カメラ２００の組み立て時等に、第２の鏡筒７の光軸方向の位置を調整することが行われる。
【００１０】
この調整は、鏡筒ハウジング４とシャーシ３との間に介在される調整ワッシャ４６の厚さを変えることにより行われる。すなわち、厚さが厚い調整ワッシャ４６を用いると、第２の鏡筒７は、鏡筒ハウジング４毎カメラ前方（光の入射側）に移動調整され、厚さが薄い調整ワッシャ４６を用いると、第２の鏡筒７は、鏡筒ハウジング４毎カメラ後方（光の出射側）に移動調整される。
【００１１】
ところが、このような調整を行うと、第２の鏡筒７は、鏡筒ハウジング４毎移動するため、鏡筒ハウジング４上に設置されたコード板２２０も同時に移動する。従って、コード板２２０上に設定された前記収納位置の検出点も移動し、この検出点に基づいて始端への停止制御がなされた第２の鏡筒７は、その収納位置も前後方向にずれることとなる。その結果、第２の鏡筒７およびこれに連動する第１の鏡筒６の先端がカメラ本体２の前面から突出すること、すなわち第１の鏡筒６および第２の鏡筒７のカメラ本体２内への収納が不完全となることがある。
【００１２】
この収納時の両鏡筒先端の突出量は、前記第２の鏡筒７の位置の調整の程度に依存するので、各カメラ毎に異なり、バラツキが生じる。
【００１３】
【発明が解決しようとする課題】
本発明の目的は、鏡筒の収納位置を常に一定とすることができるカメラを提供することにある。
【００１４】
【課題を解決するための手段】
このような目的は、下記（１）〜（７）の本発明により達成される。
【００１５】
（１）  カメラ本体と、前記カメラ本体に対し光軸方向に移動可能な鏡筒とを有するカメラであって、
前記鏡筒の前記カメラ本体内への収納位置を検出する第１の検出手段と、前記鏡筒の繰り出し量を検出する第２の検出手段と、前記鏡筒を光軸方向に移動可能に支持する支持部材とを有し、
前記支持部材は、前記カメラ本体に対して前記光軸方向に位置を調整可能に設けられ、
前記第２の検出手段は、前記鏡筒の外周面と前記支持部材との間に設置され、前記カメラ本体に対する前記支持部材の前記光軸方向の位置の調整に伴って前記第２の検出手段の位置が調整され、
前記第１の検出手段は、前記鏡筒と前記カメラ本体またはこれに固定された部材との間に設置されていることを特徴とするカメラ。
【００１８】
（２）  前記第１の検出手段は、接触・離間可能な端子を有するスイッチ機構で構成されている上記（１）に記載のカメラ。
【００１９】
（３）  前記第２の検出手段は、コード板と、前記コード板に接触しつつ前記コード板に対し相対的に移動する接片とで構成されている上記（１）または（２）に記載のカメラ。
【００２０】
（４）  前記鏡筒を光軸方向に移動可能に支持する支持部材を有し、該支持部材と前記鏡筒のいずれか一方に前記コード板、他方に前記接片が設置されている上記（３）に記載のカメラ。
【００２１】
（５）  前記第１の検出手段からの検出信号と、前記第２の検出手段からの検出信号のそれぞれの伝達経路が、同一の可撓性回路基板上に形成されている上記（１）ないし（４）のいずれかに記載のカメラ。
【００２２】
（６）  前記鏡筒は、ズーム機能を有する上記（１）ないし（５）のいずれかに記載のカメラ。
（７）  前記第１の検出手段は、金属板と、前記金属板に接触・離間可能な接片とで構成され、前記カメラ本体またはこれに固定された部材と前記鏡筒とのいずれか一方に前記金属板、他方に前記接片が設置されている上記（１）ないし（６）のいずれかに記載のカメラ。
【００２３】
【発明の実施の形態】
以下、本発明のカメラを添付図面に示す好適実施例に基づいて詳細に説明する。
【００２４】
図１および図２は、それぞれ、本発明のカメラの実施例を示す断面側面図である。これらの図に示すように、本発明のカメラ１は、カメラ本体２を有する。カメラ本体２の前面（図１中左側）には、第２の鏡筒が通過可能な円形の開口２１が形成されている。また、カメラ本体２の後面（図１中右側）には、開閉可能な裏蓋２２が設置されている。
【００２５】
カメラ本体２の内部には、箱状のシャーシ３が設置されている。シャーシ３の後端には、アパーチャ（開口）３１が形成され、このアパーチャ３１の周囲には、フィルム１００の幅方向の位置決めを行う一対の外レール３２と、外レール３２より内側に形成され、外レール３２より高さが低い一対の内レール３３とが形成されている。
【００２６】
また、裏蓋２２の内面には、図示しない板バネを介して圧板２３が支持されており、裏蓋２２を閉じた状態で、圧板２３が前記板バネの付勢力により外レール３２に当接する。この圧板２３により、フィルム１００の光軸方向の位置が規制される。
【００２７】
また、圧板２３の後面には、第１の検出手段８、第２の検出手段９からの信号の処理等の制御を行うＩＣチップ（ＣＰＵ）９３が設置されている。このＩＣチップ９３の各端子は、可撓性回路基板９０上または可撓性回路基板９０に接続された他の基板に形成された所定の回路に接続されている。
【００２８】
シャーシ３の内側には、鏡筒ハウジング４がシャーシ３に対し支持、固定されている。この場合、鏡筒ハウジング４は、シャーシ３に対し、調整ワッシャ４６を介して螺子４５により固定されている。この調整ワッシャ４６の厚さを変えることにより、鏡筒ハウジング４（およびこれに設置された後述する第２の鏡筒７、第１の鏡筒６、レンズハウジング５等）のシャーシ３に対する光軸方向の位置を調整することができる。すなわち、調整ワッシャ４６を厚くすると、鏡筒ハウジング４は、カメラ１の前方（光の入射側）に移動調整され、調整ワッシャ４の厚さを薄くすると、鏡筒ハウジング４は、カメラ後方（光の出射側）に移動調整される。
【００２９】
なお、調整ワッシャ４６の厚さの変更は、挿入する調整ワッシャ４６を厚さの異なるものに交換する方法、挿入する調整ワッシャ４６の枚数を増減する方法、またはこれらを組み合わせた方法が挙げられる。
【００３０】
この調整は、カメラ１の組み立て時等に、後述する第１レンズ群６５および第２レンズ群５５による被写体像の焦点Ｐをフィルム１００のフィルム面（乳剤面）１０１上に一致させるために行われる。この調整に伴い、後述する第２の調整手段９の位置も同様に調整される。
【００３１】
鏡筒ハウジング４内には、第２の鏡筒７が光軸方向に移動可能に設置され、第２の鏡筒７内には、第１の鏡筒６が光軸方向に移動可能に設置され、第１の鏡筒６内には、レンズハウジング５が光軸方向に移動可能に設置され、これらが相互に移動して、ズーム機能（画角可変機能）を発揮する。
【００３２】
第１鏡筒６は、その内部に複数のレンズよりなる第１レンズ群６５を支持し、レンズハウジング５は、その内部に複数のレンズよりなる第２レンズ群５５を支持している。
【００３３】
鏡筒ハウジング４の内周面には、ヘリコイドギア４１が形成され、一方、第２の鏡筒７の外周には、ヘリコイドギア４１と係合するフォロアー７２が形成されている。
【００３４】
また、第２の鏡筒７の内周面には、ヘリコイドギア７１が形成され、一方、第１の鏡筒６の外周には、ヘリコイドギア７１と係合するフォロアー６２が形成されている。
【００３５】
また、第２の鏡筒７の内周面には、カム溝７３が形成され、一方、レンズハウジング５の外周には、第１の鏡筒６に形成された開口６１を貫通してカム溝７３と係合するフォロアー５１が形成されている。
【００３６】
また、第１の鏡筒６とレンズハウジング５との間には、第１の鏡筒６およびレンズハウジング５の回転を規制する直進案内板７４が設置されている。この直進案内板７４は、その後端部付近にて第２の鏡筒７と係合している。この場合、第２の鏡筒７は、直進案内板７４に対し回転可能に係合している。
【００３７】
直進案内板７４の後端は、外周方向（光軸から離れる方向）へ向かって屈曲する屈曲部７５を有し、この屈曲部７５の先端は、鏡筒ハウジング４の内周面に光軸と平行に形成されたキー溝４２内に挿入されている。これにより、直進案内板７４は、キー溝４２に沿って光軸方向に移動することができ、光軸に対し回転はしない。
【００３８】
図示しないモータの駆動により第２の鏡筒７を所定方向に回転すると、フォロアー７２がヘリコイドギア４１に沿って移動し、第２の鏡筒７は、前方（図１中左方向）へ移動し、繰り出される。これに伴い、第２の鏡筒７に係合している直進案内板７４も前方へ移動するが、屈曲部７５の先端がキー溝４２内に挿入されているため、直進案内板７４は、光軸に対し回転することなく、前方へ移動する。
【００３９】
また、第２の鏡筒７の回転により、フォロアー６２がヘリコイドギア７１に沿って移動し、第１の鏡筒６は、第２の鏡筒７に対し前方へ移動し、繰り出される。このとき、直進案内板７４は第１の鏡筒６と係合し、その回転を規制しているため、第１の鏡筒６は、光軸に対し回転することなく、前方へ移動する。
【００４０】
また、第２の鏡筒７の回転および前方への移動により、フォロアー５１がカム溝７３に沿って摺動し、レンズハウジング５は、第２の鏡筒７に対し前方へ移動する。このとき、直進案内板７４はレンズハウジング５と係合し、その回転を規制しているため、レンズハウジング５は、光軸に対し回転することなく、前方へ移動する。なお、第２の鏡筒７に対する第１の鏡筒６とレンズハウジング５の移動量は、異なっている。
【００４１】
第１の鏡筒６、第２の鏡筒７を収納する場合には、図示しないモータの駆動により第２の鏡筒７を前記と逆方向に回転する。これにより前記と同様の作用で、第１の鏡筒６、第２の鏡筒７、レンズハウジング５が後方へ移動する。
【００４２】
このように、第２の鏡筒７の回転方向および回転量を制御することにより、繰り出し量を調整し、第２の鏡筒７のカメラ本体２内への収納状態や、ズーム倍率（焦点距離）を設定することができる。
【００４３】
このようなカメラ１では、第２の鏡筒７のカメラ本体２内への収納位置を検出する第１の検出手段８と、第２の鏡筒７の繰り出し量を検出する第２の検出手段９とを有する。以下、これらについて詳述する。
【００４４】
鏡筒ハウジング４の下部内面には、可撓性回路基板（ＦＰＣ）９０上に形成されたコード板９１が設置されている。一方、第２の鏡筒７の後端下部には、コード板９１に接触しつつ第２の鏡筒７とともに光軸方向に移動する接片（ブラシ）９２が設置されている。接片９２は、弾性変形可能な金属片で構成され、その先端に端子９２１が形成されている。これらコード板９１と接片９２とで第２の検出手段９が構成される。
【００４５】
コード板９１上には、第２の鏡筒７と第１の鏡筒６とレンズハウジング５とが最小の画角を形成する位置関係となる状態（以下、「望遠側」と言う）に対応する望遠側検出点９１ａと、第２の鏡筒７と第１の鏡筒６とレンズハウジング５とが最大の画角を形成する位置関係となる状態（以下、「広角側」と言う）に対応する広角側検出点９１ｂとが、前方から後方に向かってこの順序で形成されている。そして、コード板９１上には、第２の鏡筒７等の収納位置に対応する収納位置検出点は、設けられていない。
【００４６】
第２の鏡筒７の光軸方向の移動に伴い、接片９２の端子９２１が望遠側検出点９１ａ、広角側検出点９１ｂと接触したときには、それぞれ、それに応じた信号がコード板９１から出力される。また、端子９２１が望遠側検出点９１ａから広角側検出点９１ｂまでの間の任意の箇所に接触した場合も、同様である。
【００４７】
このようなコード板９１から得られる信号に基づいて、第２の鏡筒７の光軸方向の位置、すなわち繰り出し量を検出することができる。そして、第２の鏡筒７の繰り出し量は、撮影画像の画角（撮影光学系の焦点距離）に対応するので、第２の鏡筒７の繰り出し量を検出することにより、カメラ１はこの情報を把握することができる。
【００４８】
本実施例では、コード板９１からの信号は、例えば、カメラ１の露出制御に利用される。すなわち、第２の鏡筒７等の移動により画角（焦点距離）が変わると、それに応じてｆ値も変わるので、当該情報を元に露出を決定する。
【００４９】
また、画角の程度や焦点距離をファインダー内や外部に設置された図示しない表示装置（ＬＣＤ）に表示することもできる。
【００５０】
特に、第２の鏡筒７の広角側の位置を検出したときや、望遠側（終端）の位置を検出したときは、第２の鏡筒７を移動せしめるモータの駆動を停止する制御を行う。
【００５１】
鏡筒ハウジング４の後部側の空間（第２の鏡筒７の光出射側端部）には、接片８１が設置されている。接片８１は、弾性変形可能な金属片で構成され、その先端に端子８１１が形成されている。また、接片８１は、その基端部においてシャーシ３に固定されている。
【００５２】
一方、第２の鏡筒７の後面には、接片８１の端子８１１と接触可能な金属板８２が設置されている。この金属板８２は、前記接片９２と接続または一体化されている。接片８１は、金属板８２に対し接触・離間可能であり、これらにより、スイッチ機構よりなる第１の検出手段８が構成される。
【００５３】
第２の鏡筒７が後方へ移動し、接片８１の端子８１１が金属板８２に接触すると、それに応じた信号が出力される。これにより、第２の鏡筒７と第１の鏡筒６とレンズハウジング５とがカメラ本体２内に収納された状態（以下、「収納位置」と言う）にあることを検出することができる。
【００５４】
なお、この収納位置は、予め好適な位置（理想的な位置）を設定しておくことができる。例えば、図２に示すように、第２の鏡筒７および第１の鏡筒６の先端面がカメラ本体２の前面とぼぼ一致する状態とすることができる。
【００５５】
カメラ１のメインスイッチ（電源スイッチ）をオフすると、第２の鏡筒７は、広角側から望遠側の範囲のどの位置にあっても、後方側へ移動される。第２の鏡筒７が広角側を超えてさらに後方へ移動すると、接片８１の端子８１１が金属板８２と接触し、収納位置となったことが検出される。これにより、第２の鏡筒７を移動せしめるモータの駆動を停止する制御がなされる。
【００５６】
このような第１の検出手段８は、接片８１がシャーシ３に対し固定的に設置されているので、前記調整ワッシャ４６の厚さの変更による鏡筒ハウジング４の位置調整を行っても、収納位置の検出には影響を受けず、よってそれにより規制（制御）される収納位置は不変である。
【００５７】
このように、本発明のカメラ１では、収納位置は、前記鏡筒ハウジング４の位置調整のいかんにかかわらず、常に一定の位置となるため、第２の鏡筒７等の収納位置を理想的な位置に設定することができ、第２の鏡筒７や第１の鏡筒６の先端がカメラ本体２の前面から突出し過ぎたりすることが防止される。特に、カメラ毎に第２の鏡筒７や第１の鏡筒６の先端の突出量がばらつくということが防止できる。
【００５８】
接片８１は、可撓性回路基板９０上に形成された所定の回路に接続されている。すなわち、第１の検出手段８からの検出信号と、第２の検出手段９からの検出信号のそれぞれの伝達経路は、同一の可撓性回路基板９０上に形成されている。これにより、従来の制御手段と何ら変わりなく、定位置での収納位置を制御できるという利点がある。
【００５９】
以上、本発明のカメラを図示の実施例について説明したが、本発明は、これらに限定されるものではない。例えば、接片８１が第２の鏡筒７側に設置され、金属板８２がシャーシ３側に設置されていてもよい。また、コード板９１が第２の鏡筒７側に設置され、接片９２が鏡筒ハウジング４側に設置されていてもよい。
【００６０】
【発明の効果】
以上述べたように、本発明のカメラによれば、鏡筒の収納位置を常に一定とすることができる。そのため、鏡筒の収納位置を理想的な位置に設定することができ、鏡筒の先端がカメラ本体の前面から突出し過ぎたりすることを防止できる。
【図面の簡単な説明】
【図１】本発明のカメラの実施例（広角側）を示す断面側面図である。
【図２】本発明のカメラの実施例（収納位置）を示す断面側面図である。
【図３】従来のカメラの構成（広角側）を示す断面側面図である。
【図４】従来のカメラの構成（収納位置）を示す断面側面図である。
【符号の説明】
１            カメラ
２            カメラ本体
２１          開口
２２          裏蓋
２３          圧板
３            シャーシ
３１          アパーチャ
３２          外レール
３３          内レール
４            鏡筒ハウジング
４１          ヘリコイドギア
４２          キー溝
４５          螺子
４６          調整ワッシャ
５            レンズハウジング
５１          フォロアー
５５          第２レンズ群
６            第１の鏡筒
６１          開口
６２          フォロアー
６５          第１レンズ群
７            第２の鏡筒
７１          ヘリコイドギア
７２          フォロアー
７３          カム溝
７４          直進案内板
７５          屈曲部
８            第１の検出手段
８１          接片
８１１        端子
８２          金属板
９            第２の検出手段
９０          可撓性回路基板
９１          コード板
９１ａ        望遠側検出点
９１ｂ        広角側検出点
９２          接片
９２１        端子
９３          ＩＣチップ
１００        フィルム
１０１        フィルム面
２００        カメラ
２１０        カメラ
２２０        コード板
２３０        接片
２４０        接点
【図１】
0004024393.tif 000002
【図２】
0004024393.tif 000003
【図３】
0004024393.tif 000004
【図４】
0004024393.tif 000005